(57)【要約】【課題】  アナログ放送の停止を確実に検出してアナログ放送の受信機能を停止することができる放送受信装置及び放送受信方法を提供する。【解決手段】  アナログ放送信号を受信し映像音声信号を出力するアナログ受信部１３と、アナログ放送が停止する日時を示したアナログ放送停止日時情報（図２）を記憶する記憶部３５と、現在の日時情報を検出する検出部３７と、検出部からの日時情報と記憶部が記憶するアナログ放送停止日時情報とを比較してアナログ放送が既に停止していると判断すると、アナログ受信部の受信機能を停止させる制御部３０をもつ放送受信装置。【選択図】図１
2008245170.tif 000002
【特許請求の範囲】
【請求項１】
アナログ放送信号を受信し映像音声信号を出力するアナログ受信部と、
アナログ放送が停止する日時を示したアナログ放送停止日時情報を記憶する記憶部と、
現在の日時情報を検出する検出部と、
前記検出部からの前記日時情報と前記記憶部が記憶する前記アナログ放送停止日時情報とを比較してアナログ放送がすでに停止していると判断すると、前記アナログ受信部の受信機能を停止させる制御部とを具備することを特徴とする放送受信装置。
【請求項２】
前記制御部は、前記アナログ放送がすでに停止していると判断した場合、入力の選択の際に前記アナログ受信部以外の入力を選択肢とすることを特徴とする請求項１記載の放送受信装置。
【請求項３】
前記記憶部が記憶する前記アナログ放送停止日時情報は、アナログ地上波放送とアナログ衛星放送との少なくとも一方の停止日時を示すことを特徴とする請求項１記載の放送受信装置。
【請求項４】
前記制御部は、前記アナログ放送がすでに停止していると判断した場合、前記アナログ受信部で受信することで全てのアナログ放送が本当に停止しているかどうかを確かめることを特徴とする請求項１記載の放送受信装置。
【請求項５】
前記検出部は、デジタル放送信号を受信し復調した信号から現在の日時情報を抽出することを特徴とする請求項１記載の放送受信装置。
【請求項６】
前記アナログ放送停止日時情報は、複数の国毎にアナログ放送停止日時を示すことを特徴とする請求項１記載の放送受信装置。
【請求項７】
前記制御部は、デジタル放送信号を受信し復調した信号から国情報を選択し、前記アナログ放送停止日時情報からこの国に応じた停止日時情報を選択し、この選択した停止日時情報に基づいてアナログ放送がすでに停止しているかどうかを判断することを特徴とする請求項１記載の放送受信装置。
【請求項８】
前記制御部は、前記アナログ放送がすでに停止していると判断した場合、前記アナログ受信部で受信することで全てのアナログ放送が本当に停止しているかどうかを確かめ、更に、所定の国の隣接国の情報を示す隣接国情報に基づき、隣接国のアナログ放送を受信することで全てのアナログ放送が本当に停止しているかどうかを確かめることを特徴とする請求項１記載の放送受信装置。
【請求項９】
前記制御部は、前記アナログ放送停止日時情報を通信路を介して又はデジタル放送信号から抽出することで取得し、自動的に更新することを特徴とする請求項１記載の放送受信装置。
【請求項１０】
前記制御部は、前記アナログ受信部の受信機能を前記アナログ放送停止日時情報に基づいて停止させる処理を行うか否かを、設定信号に応じて決定することを特徴とする請求項１記載の放送受信装置。
【請求項１１】
前記アナログ受信部からの前記映像音声信号に基づく映像を画面に表示する表示部を更に有することを特徴とする請求項１記載の放送受信装置。
【請求項１２】
アナログ放送が停止する日時を示したアナログ放送停止日時情報を予め記憶領域に記憶し、
現在の日時情報を検出し、
前記アナログ放送停止日時情報を読み出し、これと検出した現在の日時情報と比較して、アナログ放送がすでに停止しているかどうかを判断し、
停止していると判断したら、アナログ放送信号を受信する機能を停止することを特徴とする放送受信方法。
【発明の詳細な説明】
【技術分野】
【０００１】
この発明は、アナログ放送の停止を判断する放送受信装置及び放送受信方法に関する。
【背景技術】
【０００２】
最近、放送技術分野にデジタル技術が非常に浸透し、特に、高品質の映像を提供することができる地上波デジタル放送が既に開始されており、普及されつつある。これに応じて、地上波デジタル放送の受信機能をもった受信装置が普及する頃には、従来のアナログ放送が停止されることが予定されており、その日時も例えば日本国において既に公表されている。
【０００３】
特許文献１は、アナログ放送を実際に受信して、アナログ放送が受信できなくなったら、アナログ放送が停止したものと判断して、アナログ放送信号処理部への電源供給を停止する技術が開示されている。
【特許文献１】特開２００６−５７８５号公報
【発明の開示】
【発明が解決しようとする課題】
【０００４】
しかし、特許文献１の従来技術は、実際に放送信号が受信できなかったとき、アナログ放送が停止されたと推定しているのであり、例えば、時間帯や受信状況により一時的にアナログ放送が受信できなかっただけであり本当はアナログ放送が受信できる場合でも、以降、アナログ放送が受信できなくなってしまう。
【０００５】
本発明は、アナログ放送の停止を確実に検出してアナログ放送の受信機能を停止することができる放送受信装置及び放送受信方法を提供することを目的とする。
【課題を解決するための手段】
【０００６】
課題を解決する一実施形態は、
アナログ放送信号を受信し映像音声信号を出力するアナログ受信部（１３）と、
アナログ放送が停止する日時を示したアナログ放送停止日時情報（図２）を記憶する記憶部（３５）と、
現在の日時情報を検出する検出部（３７）と、
前記検出部からの前記日時情報と前記記憶部が記憶する前記アナログ放送停止日時情報とを比較してアナログ放送がすでに停止していると判断すると、前記アナログ受信部の受信機能を停止させる制御部（３０）を具備することを特徴とする放送受信装置である。
【発明の効果】
【０００７】
政府発表等のアナログ放送の停止日時情報を予めテレビセット等にもち、これによりアナログ放送の停止を判断するので、誤判断を起こすことなく確実に放送停止を検出できる。
【発明を実施するための最良の形態】
【０００８】
以下、この発明の実施の形態について図面を参照して詳細に説明する。
【０００９】
＜本発明の一実施形態である放送受信装置＞
（放送受信装置の構成と動作）
本発明の一実施形態であるデジタルテレビジョン装置等の放送受信装置の構成の一例を、以下に図面を用いて詳細に説明する。図１は、本発明の一実施形態に係る放送受信装置の構成の一例を示すブロック図である。
【００１０】
放送受信装置１０は、図１に示すように一例としてテレビジョン装置であり、制御部３０は全体の動作を司るべくデータバスを介して各部に接続されている。放送受信装置１０は、再生側を構成するＭＰＥＧデコーダ部１６と、装置本体の動作を制御する制御部３０とを主たる構成要素としている。放送受信装置１０は、入力側のセレクタ部１４と出力側のセレクタ部２１とを有しており、入力側のセレクタ部１４には、ＬＡＮ等やメール機能をもった通信部１１と、ＢＳ／ＣＳ／地上波デジタルチューナ部１２と、ＢＳ／地上波アナログチューナ部１３が接続される。
【００１１】
放送受信装置１０は、更に、ＢＳ／地上波デジタルチューナ部１２からの復調信号を一時格納するバッファ部１５と、格納された復調信号であるパケットを種類別に分離する分離部１７と、分離部１７から供給された映像音声用のパケットにＭＰＥＧデコード処理を施し映像音声信号を出力するＭＰＥＧデコーダ部１６と、操作情報等を映像信号に重畳するＯＳＤ（On Screen Display）生成部１８を有している。放送受信装置１０は、更に、ＭＰＥＧデコーダ部１６からの音声信号に増幅処理等を施す音声処理部１９と、ＭＰＥＧデコーダ部１６及びＯＳＤ生成部１８から映像信号を受けて、所望の映像処理を施す映像処理部２０と、音声信号及び映像信号の出力先を選択するセレクタ部２１と、音声処理部１９からの音声信号に応じて音声を出力するスピーカ部２２と、セレクタ部２１に接続されて与えられた映像信号に応じた映像を液晶表示画面等に表示する表示部２３と、外部装置との通信を行うインタフェース部２４を有する。
【００１２】
ここで、映像処理部２０は、インターレス信号をプログレッシブに変換するＩＰ変換部４１と、コアリング処理及びエンハンス処理を行なう画質処理部４２と、スケーリング処理を行なうスケーリング部４３と、映像信号のγ補正を行なうγ補正部４４を有している。
【００１３】
放送受信装置１０は、更に、アナログチューナ部１３からの映像情報等を適宜記録する記憶部３５と、放送信号等から電子番組情報を取得して画面表示等を行なう電子番組情報処理部３６と、例えばデジタル放送信号を受信し復調した信号に含まれるＴＯＴ（Time Offset Table），ＴＤＴ（Time Date Table）から現在の日時情報を抽出する日時情報検出部３７を有しており、これらは、データバスを介して制御部３０に接続されている。放送受信装置１０は、更に、データバスを介して制御部３０に接続されユーザの操作やリモコンＲの操作を受ける操作部３２及び操作信号を表示する表示部３３を有している。ここで、リモコンＲは、放送受信装置１０の本体に設けられる操作部３２とほぼ同等の操作を可能とするものであり、チューナの操作等、各種設定が可能である。
【００１４】
また、制御部３０は、特に、後述する本発明の一実施形態であるアナログ放送停止処理を行なうアナログ地上波判定部の機能を有している。また、これに伴い、記憶部３５も、フラッシュＲＯＭ等を用いて、アナログ放送停止処理に用いるアナログ地上波停止日時情報や隣接国情報等を格納している。
【００１５】
このような構成をもった放送受信装置１０は、放送信号が受信アンテナから各チューナ部１２，１３に入力され、ここで選局が行われる。選局され復調されたパケット形式の復調信号は、分離部１７により、種類別のパケットに分離され、音声映像用パケットがＭＰＥＧデコーダ部１６等でデコード処理されて映像音声信号となって、音声処理部１９及び映像処理部２０に供給される。映像処理部２０は、与えられた映像信号について、ＩＰ変換部４１によりインターレス信号をプログレッシブに変換され、画質処理部４２ではコアリング処理及びエンハンス処理が施され、スケーリング部４３ではスケーリング処理が施され、γ補正部４４では、映像信号のγ補正が施された後に、セレクタ部２１に供給される。
【００１６】
セレクタ部２１は、制御部３０の制御信号に応じて例えば表示部２３に映像信号を供給し、これにより映像信号に応じた映像が表示部２３に表示される。また、音声処理部１９からの音声信号に応じた音声がスピーカ部２２から出力される。
【００１７】
また、ＯＳＤ生成部１８では、各種の操作情報等が放送信号に応じた映像信号に重畳され、映像処理部２０を経て、これに応じた映像が表示部２３に表示される。
【００１８】
＜本発明の一実施形態であるアナログ地上波受信停止処理＞
次に、本発明の一実施形態であるアナログ地上波受信停止処理を図面を用いて詳細に説明する。図２は、本発明の一実施形態に係る放送受信装置が扱うアナログ地上波受信停止日時情報の一例を示す説明図、図３は、本発明の一実施形態に係る放送受信装置が扱う隣接国情報の一例を示す説明図である。
【００１９】
本発明の一実施形態であるアナログ地上波受信停止処理は、一例として、以下に示すように、アナログ放送停止日時情報（図２）と隣接国情報（図３）を用いて、制御部３０のアナログ地上波判定部により、『アナログ放送停止判定処理（図４，図５，図６）』でアナログ放送停止が判定されると、次に、制御部３０のアナログ地上波判定部により、『アナログ放送停止対応処理（図８）』が施される処理をいう。また、更に、アナログ放送停止日時情報（図２）等は、適宜、最新の情報に更新されるものである。
【００２０】
（アナログ放送停止日時情報：図２）
本発明の一実施形態であるアナログ地上波受信停止処理で扱うアナログ放送停止日時情報は、図２に示すように、国情報とこの国でのアナログ地上波放送が終了する日時を示している。このような情報は、各国政府等の公的な機関から発表した情報を整理した情報として、フラッシュＲＯＭ等を用いた記憶部３５等に製造段階で格納することが好適である。
【００２１】
すなわち、図２で示されたアナログ放送停止日時情報の一例は、United Kingdomでは、２０１２年＊＊月＊＊日  ０：００、Swedenでは、２００８年＊＊月＊＊日  ０：００、Germanyでは、２００９年＊＊月＊＊日  ０：００、Franceでは、２０１１年＊＊月＊＊日  ０：００、Italyでは、２０１２年＊＊月＊＊日  ０：００に、アナログ地上波放送が終了することを示している。
【００２２】
（隣接国情報：図３）
更に、本発明の一実施形態であるアナログ地上波受信停止処理で扱う隣接国情報は、図３に示すように、当該国に隣接する国情報を示すものであり、一例として、フラッシュＲＯＭ等を用いた記憶部３５等に製造段階で格納することが好適である。
【００２３】
すなわち、Spainの隣接国は、PortugalとFranceである。更に、Franceの隣接国がSpain、Belgium、Germany、Italy、Switzerlandである。更に、Switzerlandの隣接国がFrance、Germany、Austria、Italyであることを示している。
【００２４】
次に、本発明の一実施形態に係る放送受信装置のアナログ地上波受信停止処理をフローチャートを用いて逐一説明する。以下に、３種類のアナログ地上波受信停止処理を順に説明する。図４は、本発明の一実施形態に係る放送受信装置の日時情報の利用によるアナログ地上波受信停止処理の一例を示すフローチャート、図５は、本発明の一実施形態に係る放送受信装置の信号検出によるアナログ地上波受信停止処理の一例を示すフローチャート、図６は、本発明の一実施形態に係る放送受信装置の日時情報の利用及び信号検出によるアナログ地上波受信停止処理の一例を示すフローチャートである。
【００２５】
なお、以下の図４乃至図６のフローチャートの各ステップは、回路ブロックに置き換えることができ、従って、各フローチャートのステップは、全てブロックに定義しなおすことが可能である。
【００２６】
・日時情報を用いたアナログ放送停止判定処理（図４）
本発明の一実施形態に係る放送受信装置１０は、図４のフローチャートが示すように、以下のように日時情報を用いてアナログ放送停止判定処理を行なうものである。すなわち、制御部３０のアナログ地上波判定部は、記憶部３５に記憶されているカントリーコード情報や、デジタル放送信号のＴＯＴ（Time Offset Table）から識別可能な国情報を参照することで、放送受信装置１０が使用されている該当国を特定する。そして、制御部３０のアナログ地上波判定部は、当該国のアナログ地上波停止情報を記憶部３５から読み出す（ステップＳ２０）。例えば、日本や、例えば、英国（United Kingdom）等の図２に示すようなアナログ地上波停止情報が読み出される。次に、日時情報検出部３７は、デジタルチューナ部１２が検出したデジタル放送のＴＯＴ（Time Offset Table），ＴＤＴ（Time Date Table）から現在の日時情報を抽出する（ステップＳ２１）。制御部３０のアナログ地上波判定部は、両者を比較して、現在は、アナログ地上波日時を経過しているかを判定し（ステップＳ２２）、既に、アナログ地上波日時を経過している場合は、例えば、記憶部３５に格納されたアナログ地上波スイッチオフ判定フラグをオンにセットする（ステップＳ２３）。
【００２７】
・信号検出によるアナログ放送停止判定処理（図５）
本発明の一実施形態に係る放送受信装置１０は、その他の方法として、図５のフローチャートが示すように、実際にアナログ放送の信号を検出することでアナログ放送停止判定処理を行なうものである。すなわち、制御部３０のアナログ地上波判定部は、記憶部３５に記憶されているカントリーコード情報や、デジタル放送信号のＴＯＴから識別可能な国情報を参照することで、放送受信装置１０が使用されている該当国を特定する。そして、制御部３０のアナログ地上波判定部は、当該国のチャンネル情報を記憶部３５から読みだし、これに従って、アナログチューナ１３により、アナログ地上波の全チャンネルをサーチする（ステップＳ３１）。
【００２８】
制御部３０のアナログ地上波判定部は、このサーチにより、一つでもアナログ放送の同期信号を検出すると（ステップＳ３２）、例えば、チャンネルスキップ情報を更新する等して、処理を終了する（ステップＳ３６）。
【００２９】
しかし、制御部３０のアナログ地上波判定部は、このサーチにより全チャンネルでアナログ放送の同期信号は無かったと判断すると（ステップＳ３２）、次に、図３に示すような隣接国情報を記憶部３５から読み出し、該当国に応じた隣接国のアナログ地上波の全チャンネルを順番にサーチする（ステップＳ３３）。このサーチにより、一つでもアナログ放送の同期信号を検出すると（ステップＳ３４）、例えば、チャンネルスキップ情報を更新する等して、処理を終了する（ステップＳ３６）。
【００３０】
しかし、制御部３０のアナログ地上波判定部は、このサーチでも全チャンネルでアナログ放送の同期信号は無かったと判断すると（ステップＳ３４）、記憶部３５等に記憶されたアナログ地上波スイッチオフ判定フラグをオンにセットする（ステップＳ３５）。
【００３１】
・日時情報の利用及び信号検出によるアナログ放送停止判定処理（図６）
本発明の一実施形態に係る放送受信装置１０は、その他の方法として、図６のフローチャートが示すように、日時情報による判定を行い、更に、実際にアナログ放送の信号を検出することでアナログ放送停止判定処理を行なうものである。図９は、アナログ地上波受信停止処理の設定画面の一例を示す説明図である。
【００３２】
すなわち、制御部３０のアナログ地上波判定部は、初めに、図９が示すようなアナログ地上波受信停止処理の設定画面において、図６のフローチャートに示すように、ＡＵＴＯが設定されているかＯＦＦが設定されているかが判定される（ステップＳ４０）。ここで、ＯＦＦが設定されていれば、何らの処理も行なわずにこのフローチャートを終了し、ＡＵＴＯが設定されていれば、ステップＳ４１に進む。
【００３３】
ＡＵＴＯが設定されている場合、制御部３０のアナログ地上波判定部は、デジタル放送信号のＴＯＴ情報からカントリーコードを読み出す（ステップＳ４１）。これが、有効なカントリーコードであると判定した場合（ステップＳ４２）、制御部３０のアナログ地上波判定部は、有効なカントリーコードが複数存在するかどうかを判定する（ステップＳ４３）。
【００３４】
制御部３０のアナログ地上波判定部は、有効なカントリーコードが単数であると判定した場合、記憶部３５から該当国のアナログ地上波停止日時情報のみを読み出す（ステップＳ４４）。制御部３０のアナログ地上波判定部は、有効なカントリーコードが複数であると判定した場合、複数のカントリーコードが示す該当国のアナログ地上波停止日時情報を記憶部３５から読み出す（ステップＳ４５）。
【００３５】
次に、日時情報検出部３７は、デジタルチューナ部１２が検出したデジタル放送のＴＯＴ，ＴＤＴから現在の日時情報を抽出する（ステップＳ４６）。制御部３０のアナログ地上波判定部は、両者を比較して、現在は、アナログ地上波日時を経過しているかを判定する（ステップＳ４７）。まだ、アナログ地上波日時を経過していないと判定すれば、処理を終了する。
【００３６】
しかし、制御部３０のアナログ地上波判定部は、既に、アナログ地上波日時を経過していると判定した場合は、当該国のチャンネル情報を記憶部３５から読みだし、これに従って、アナログチューナ１３によりアナログ地上波の全チャンネルをサーチする（ステップＳ４８）。そして、制御部３０のアナログ地上波判定部は、このサーチにより、一つでもアナログ放送の同期信号を検出すると、処理を終了する（ステップＳ４９）。
【００３７】
しかし、制御部３０のアナログ地上波判定部は、このサーチにより全チャンネルでアナログ放送の同期信号は無かったと判断すると（ステップＳ４９）、次に、図３に示すような隣接国情報を記憶部３５から読み出し、該当国に応じた隣接国のアナログ地上波の全チャンネルを順番にサーチする（ステップＳ５０）。このサーチにより、一つでもアナログ放送の同期信号を検出すると、処理を終了する（ステップＳ５１）。
【００３８】
しかし、制御部３０のアナログ地上波判定部は、このサーチでも全チャンネルでアナログ放送の同期信号は無かったと判断すると、記憶部３５等に記憶されたアナログ地上波スイッチオフ判定フラグをオンにセットする（ステップＳ５２）。
【００３９】
（アナログ放送停止対応処理：図７，図８）
本発明の一実施形態に係る放送受信装置１０は、このようにして設定したアナログ地上波スイッチオフ判定フラグを用いて、以下のようにアナログ放送停止対応処理を行なう。図７は、アナログ地上波受信停止対応処理の一例を示すフローチャートである。図８は、本発明の一実施形態に係る放送受信装置のアナログ地上波受信停止対応処理の一例を示す説明図である。なお、以下の図７及び図１０のフローチャートの各ステップは、回路ブロックに置き換えることができ、従って、各フローチャートのステップは、全てブロックに定義しなおすことが可能である。
【００４０】
本発明の一実施形態に係る放送受信装置１０は、図７のフローチャートに示すように、電源が起動されている状態で、制御部３０のアナログ地上波判定部の働きにより、初めに一例として図９に示す設定画面で設定される、アナログ地上波の受信停止処理が設定されているかを判断し（ステップＳ６１）、設定されていなければ処理を終了する。制御部３０のアナログ地上波判定部は、アナログ地上波の受信停止処理が設定されていると判断すれば、次に、記憶部３５に格納されたアナログ地上波のスイッチオフ判定フラグがオンしているかどうかを判断する（ステップＳ６２）。制御部３０のアナログ地上波判定部は、オンしていると判断すれば、地上波アナログ受信回路への電源供給をオフしてアナログ受信機能を停止するべく制御する（ステップＳ６３）。これにより、地上波アナログ放送が停止している場合に、無駄に地上波アナログ受信回路への電源が供給されることはなくなる。
【００４１】
更に、制御部３０のアナログ地上波判定部は、リモコンＲや操作部３２の入力信号切換えループにおいて、図８に示すように、『アナログ地上波（ＡＴＶ）を含むループ』から『アナログ地上波（ＡＴＶ）を含まないループ』に切換えを行なう（ステップＳ６４）。これにより、ユーザが既に視聴できないアナログチューナの選択肢を選択して混乱を生じるような不具合は回避されるものである。
【００４２】
（アナログ放送停止日時情報更新処理：図１０）
また、本発明の一実施形態に係る放送受信装置１０において、上述した図２が示すアナログ放送停止日時情報は、デジタル放送信号やインターネットを介して特定のサイトと通信を行なうことにより自動的に更新し、又は、記憶媒体に格納したソフトウェアからインタフェース部を介して直接ダウンロードすることで取得して更新することが好適である。図１０は、本発明の一実施形態に係る放送受信装置のアナログ地上波受信停止日時情報の更新処理の一例を示すフローチャートである。
【００４３】
すなわち、制御部３０のアナログ地上波判定部は、図１０のフローチャートに示すように、例えば、週１回等のように記憶部３５等により予め特定されたタイミングにより、デジタルチューナ部１２を用いてデジタル放送信号から取得することで、又は、通信部１１を用いて、インターネットの特定のサイトにアクセスすることにより、アナログ地上波停止日時情報を取得する（ステップＳ７１）。そして、取得したアナログ地上波停止日時情報と、記憶部３５に格納された現在のアナログ地上波停止日時情報とを比較する（ステップＳ７２）。制御部３０のアナログ地上波判定部が、両者は一致しないと判断すると（ステップＳ７３）、取得したアナログ地上波停止日時情報に更新を行なう（ステップＳ７４）。
【００４４】
こうすることにより、放送受信装置１０が出荷後に、アナログ地上波停止日時情報が変更になった場合でも、最新のアナログ地上波停止日時情報により、アナログ放送停止処理を行なうことが可能となる。
【００４５】
なお、デジタル放送信号からアナログ地上波停止日時情報を取得する際に、アナログ地上波停止日時情報だけでなく付帯するアプリケーションソフトウェアを伴ってダウンロードすることも好適である。
【００４６】
又、上述した図２が示すアナログ放送停止日時情報は、ディスクやメモリカード等の記憶媒体等に格納したソフトウェアからインタフェース部２４等を介して直接ダウンロードすることで取得して更新することも好適である。
【００４７】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４８】
【図１】本発明の一実施形態に係る放送受信装置の構成の一例を示すブロック図。
【図２】本発明の一実施形態に係る放送受信装置が扱うアナログ地上波受信停止日時情報の一例を示す説明図。
【図３】本発明の一実施形態に係る放送受信装置が扱う隣接国情報の一例を示す説明図。
【図４】本発明の一実施形態に係る放送受信装置のアナログ地上波受信停止処理の一例（日時情報）を示すフローチャート。
【図５】本発明の一実施形態に係る放送受信装置のアナログ地上波受信停止処理の他の一例（信号検出）を示すフローチャート。
【図６】本発明の一実施形態に係る放送受信装置のアナログ地上波受信停止処理の他の一例（日時情報及び信号検出）を示すフローチャート。
【図７】本発明の一実施形態に係る放送受信装置のアナログ地上波受信停止対応処理の一例を示すフローチャート。
【図８】本発明の一実施形態に係る放送受信装置のアナログ地上波受信停止対応処理の一例を示す説明図。
【図９】本発明の一実施形態に係る放送受信装置のアナログ地上波受信停止処理の設定を行う設定画面の一例を示す説明図。
【図１０】本発明の一実施形態に係る放送受信装置のアナログ地上波受信停止日時情報の更新処理の一例を示すフローチャート。
【符号の説明】
【００４９】
１０…放送受信装置、１１…通信部、１２…ＢＳ／ＣＳ／地上波デジタルチューナ、１３…ＢＳ／ＣＳ／地上波アナログチューナ、１４…セレクタ部、１５…バッファ部、１６…ＭＰＥＧデコーダ部、１７…分離部、１８…ＯＳＤ生成部、１９…音声処理部、２０…映像処理部、２１…セレクタ部、２２…スピーカ部、２３…表示部、２４…Ｉ／Ｆ部、３０…制御部、３２…操作部、３３…表示部、３５…記憶部、３６…電子番組情報処理部、３７…日時情報検出部。
【図１】
2008245170.tif 000003
【図２】
2008245170.tif 000004
【図３】
2008245170.tif 000005
【図４】
2008245170.tif 000006
【図５】
2008245170.tif 000007
【図６】
2008245170.tif 000008
【図７】
2008245170.tif 000009
【図８】
2008245170.tif 000010
【図９】
2008245170.tif 000011
【図１０】
2008245170.tif 000012